(57)【特許請求の範囲】
【請求項１】
撮影指示に応じて画像情報を取得する画像取得手段と、
音声情報を取得する音声取得手段と、
前記音声取得手段により得られた音声情報を記憶するメモリと、
前記撮影指示から所定時間遡った時刻からの音声情報を前記メモリより読出して、前記画像取得手段により得られた画像情報と関連付けて記録する記録手段と、
前記メモリに前記所定時間分の音声情報が記憶されているか否かを判定する判定手段と、
前記判定手段により前記メモリに前記所定時間分の音声情報が記憶されていないと判定された状態で第１の撮影指示があった場合は、前記第１の撮影指示に応じた前記画像情報の取得を禁止するよう前記画像取得手段を制御する制御手段とを有し、
前記制御手段は、前記第１の撮影指示から前記判定手段により前記メモリに前記所定時間分の音声情報が記憶されたと判定されるまでの間に、第２の撮影指示があったときは、前記第２の撮影指示に応じた前記画像情報の取得を行うよう前記画像取得手段を制御すると共に、前記所定時間よりも短い時間遡った時刻からの音声情報を前記メモリより読出して前記画像取得手段により得られた画像情報と関連付けて記録するよう前記記録手段を制御し、
前記制御手段は、前記第１の撮影指示の後に、前記判定手段により前記メモリに前記所定時間分の音声情報が記憶されたと判定されたときは、前記撮影指示に応じた前記画像情報の取得を許可するよう前記画像取得手段を制御することを特徴とする撮影装置。
【請求項２】
前記撮影指示は、前記撮影装置に備えられたシャッタボタンが押下されることに応じて入力される指示信号であることを特徴とする請求項１記載の撮影装置。
【発明の詳細な説明】
【０００１】
本発明は、音声と映像を同時に記録できる撮影装置に係り、更に詳しくは、静止画像と音声を記録できる撮影装置に関する。
【０００２】
【従来の技術】
従来、音声と映像の両方を記録できる装置で、デジタルスチルカメラやデジタルビデオカメラなどを例にとり、それらの装置の記録媒体や、操作スイッチ、全体のコントロール部などの発明に直接関係ない部分を除くと、おおよそ図８の構成で表すことができる。従来例に係る記録再生装置は、マイクロフォン８１、マイクアンプ８２、第一のＡ／Ｄコンバータ８３、カメラ８４、第二のＡ／Ｄコンバータ８５、シャッタボタン８６、記録／再生部８７、出力端子８８、８９、マイクロコンピュータ９０を備えている。
【０００３】
マイクロフォン８１は、音声信号を収集する。マイクアンプ８２は、マイクロフォン８１が拾った音声信号を増幅する。第一のＡ／Ｄコンバータ８３は、マイクアンプ８２の出力信号をデジタル信号に変換する。カメラ８４は、被写体を電気信号である映像信号に処理する。第二のＡ／Ｄコンバータ８５は、カメラ８４の出力信号をデジタル信号に変換する。シャッタボタン８６は、被写体を取り込むタイミングを与える。記録／再生部８７は、第一のＡ／Ｄコンバータ８３からの信号と、第二のＡ／Ｄコンバータ８５からの信号を記録し、再生を行う。出力端子８８は、記録／再生部８７の音声信号を出力する。出力端子８９は、記録／再生部８７の映像信号を出力する。マイクロコンピュータ９０は、記録／再生部８７を制御する。
【０００４】
上記構成において、使用者が希望する静止画像を取り込むためにシャッタボタン８６を押下すると、カメラ８４からの映像信号とマイクロフォン８１からの音声とが、それぞれ第二のＡ／Ｄコンバータ８５、第一のＡ／Ｄコンバータ８３でデジタル符号化される。デジタル符号化された信号を、シャッタボタン８６を押下した時刻からある一定時間ｔ秒間記録するものとする。
【０００５】
映像信号は静止画記録のためｔ秒間同じ画像データを記録し、音声信号はｔ秒間の変化する信号を記録することになる。これは、音声信号が静止音声信号という時間軸をパラメータにしない信号は存在しないためである。つまり、記録する信号は、一枚の映像信号に対して、一定時間ｔ秒間の音声信号の組み合わせの単位で行われる。このことより、記録される音声信号は、シャッタボタン８６を押下した時刻をゼロ時刻とすると、ゼロ時刻から＋ｔ時刻までの信号となる。
【０００６】
上述したような従来の記録再生装置としては、例えば特開平６−２２２５８公報記載のものが提案されている。当該装置は、画像記録時点に対応して画像と音声との時間的な対応をとった信号も記録媒体に記録するものである。
【０００７】
【発明が解決しようとする課題】
しかしながら、上述した従来技術においては下記のような問題があった。即ち、上述したような記録再生装置（撮影装置）で映像を記録しようとした場合、例えば人物などを撮る場合には、シャッタを押下するまでの準備期間中の会話などが音声情報として興味深いものであったり、或いはシャッタのタイミングを挟んだ時刻の会話などが興味深いものだったりする。この場合、従来装置では、常にシャッタ押下後の時刻の記憶しかできないため、せっかくの情報を記憶できないという問題があった。
【０００８】
本発明は、上述した点に鑑みなされたものであり、使用者がシャッタ時刻に対して最大で記録時間分だけさかのぼった時刻からの過去の音声情報を記録することや、シャッタ時刻前後の音声情報の記録を可能とした撮影装置を提供することを目的とする。
【００１２】
【課題を解決するための手段】
上記目的を達成するために、請求項１記載の本発明は、撮影指示に応じて画像情報を取得する画像取得手段と、音声情報を取得する音声取得手段と、前記音声取得手段により得られた音声情報を記憶するメモリと、前記撮影指示から所定時間遡った時刻からの音声情報を前記メモリより読出して、前記画像取得手段により得られた画像情報と関連付けて記録する記録手段と、前記メモリに前記所定時間分の音声情報が記憶されているか否かを判定する判定手段と、前記判定手段により前記メモリに前記所定時間分の音声情報が記憶されていないと判定された状態で第１の撮影指示があった場合は、前記第１の撮影指示に応じた前記画像情報の取得を禁止するよう前記画像取得手段を制御する制御手段とを有し、前記制御手段は、前記第１の撮影指示から前記判定手段により前記メモリに前記所定時間分の音声情報が記憶されたと判定されるまでの間に、第２の撮影指示があったときは、前記第２の撮影指示に応じた前記画像情報の取得を行うよう前記画像取得手段を制御すると共に、前記所定時間よりも短い時間遡った時刻からの音声情報を前記メモリより読出して前記画像取得手段により得られた画像情報と関連付けて記録するよう前記記録手段を制御し、前記制御手段は、前記第１の撮影指示の後に、前記判定手段により前記メモリに前記所定時間分の音声情報が記憶されたと判定されたときは、前記撮影指示に応じた前記画像情報の取得を許可するよう前記画像取得手段を制御することを特徴とする。
上記目的を達成するために、請求項２記載の本発明は、前記撮影指示は、前記撮影装置に備えられたシャッタボタンが押下されることに応じて入力される指示信号であることを特徴とする。
【００１５】
上記目的を達成するために、請求項４記載の本発明は、前記記録手段は、静止画及び動画の両方の記録モードを有することを特徴とする。
【００１６】
上記目的を達成するために、請求項５記載の本発明は、前記記録手段は、静止画のみの記録モードを有することを特徴とする。
【００１７】
上記目的を達成するために、請求項６記載の本発明は、前記音声記憶手段の記憶時間は、前記記録手段が静止画を記録する時間以上に設定されていることを特徴とする。
【００２２】
上記目的を達成するために、請求項１０記載の本発明は、警告を出力する警告手段を有し、前記制御手段は、前記時刻設定手段による設定値が前記音声記憶手段の書き込み量を超えた設定の場合に前記警告手段から警告を出力させることを特徴とする。
【００２３】
上記目的を達成するために、請求項１１記載の本発明は、前記制御手段は、前記時刻設定手段による設定値が前記音声記憶手段の書き込み量を超えた設定の場合に前記設定値を強制的に前記音声記憶手段の書き込み量に変更することを特徴とする。
【００２４】
上記目的を達成するために、請求項１２記載の本発明は、前記音声入力手段は、音波を電気信号に変換するセンサを有することを特徴とする。
【００２５】
上記目的を達成するために、請求項１３記載の本発明は、前記映像入力手段は、映像情報を電気信号に変換するセンサを有することを特徴とする。
【００５８】
【発明の実施の形態】
以下、本発明の実施の形態を図面に基づいて説明する。
【００５９】
［１］第１の実施の形態
図１は本発明の第１の実施の形態に係る記録再生装置の構成を示すブロック図である。本発明の第１の実施の形態に係る記録再生装置は、マイクロフォン１、マイクアンプ２、第一のＡ／Ｄコンバータ３、カメラ４、第二のＡ／Ｄコンバータ５、シャッタボタン６、記録／再生部７、出力端子８、出力端子９、マイクロコンピュータ１０、設定キー１１、メモリ１２、表示部１３を備える構成となっている。本発明の第１の実施の形態に係る記録再生装置は、静止画及び動画の両方の記録モードを有する。
【００６０】
上記各部の構成を詳述すると、マイクロフォン１は、音声信号を収集するものであり、音波を電気信号に変換するセンサを有する。マイクアンプ２は、マイクロフォン１が収集した音声信号を増幅する。第一のＡ／Ｄコンバータ３は、マイクアンプ２の出力信号をデジタル信号に変換する。カメラ４は、被写体を電気信号である映像信号に処理するものであり、映像情報を電気信号に変換するセンサを有する。第二のＡ／Ｄコンバータ５は、カメラ４の出力信号をデジタル信号に変換する。シャッタボタン６は、被写体を取り込むタイミングを与える。記録／再生部７は、メモリ１２に記憶された音声信号と第二のＡ／Ｄコンバータ５からの映像信号を記録媒体に記録し、また、記録媒体から音声信号と映像信号を再生する。出力端子８は、記録／再生部７で再生された音声信号を出力する。出力端子９は、記録／再生部７で再生された映像信号を出力する。
【００６１】
マイクロコンピュータ１０は、記録／再生部７の制御、使用者の設定キー１１による設定に基づく表示部１３の制御、メモリ１２からの読み出しアドレスの変更等を行う。また、マイクロコンピュータ１０は、後述する図６及び図７のフローチャート（第３の実施の形態）に示す処理を実行する。設定キー１１は、使用者が音声の記録範囲を設定する際に用いるものであり、図２に示す如く、マイナスボタン及びプラスボタンを装備しており、マイナスボタンの押下時には表示部１３のシャッタ位置が右にシフトし、プラスボタンの押下時には表示部１３のシャッタ位置が左にシフトする。メモリ１２は、音声情報を記憶するものであり、例えば図４に示すような構成を有する。メモリ１２の記憶時間は、記録／再生部７で静止画を記録する時間以上に予め設定されている。表示部１３は、マイクロコンピュータ１０の制御に基づき、音声記録時間内のどの時刻にシャッタ時刻が存在するかを表示する。
【００６２】
尚、特許請求の範囲における各構成要件と、本発明の第１の実施の形態及び後述する第２の実施の形態及び第３の実施の形態に係る記録再生装置の各部との対応関係は下記の通りである。即ち、音声入力手段はマイクロフォン１に対応し、映像入力手段はカメラ４に対応し、記録手段、再生手段は記録／再生部７に対応し、制御手段はマイクロコンピュータ１０に対応し、時刻設定手段は設定キー１１に対応し、音声記憶手段はメモリ１２に対応し、表示手段は表示部１３に対応し、警告手段は警告部５１に対応する。
【００６３】
次に、上記の如く構成された本発明の第１の実施の形態に係る記録再生装置の動作を図１、図２、図４を参照しながら説明する。先ず、使用者は設定キー１１で音声の記録範囲を設定する。例えば、設定の方法として、音声記録時間は固定なので、その音声記録時間内のどの時刻にシャッタ時刻が存在するかを設定する方法とする。それを表示部１２に図２のような表示で表すことができる。設定キー１１のマイナスボタンの押下で表示部１３のシャッタ位置が右にシフトし、プラスボタンの押下で表示部１３のシャッタ位置が左にシフトする。
【００６４】
上記設定キー１１の操作に伴い、マイクロコンピュータ１０がメモリ１２からの読み出しアドレスを変更する。メモリ１２の構成を図４を用いて説明する。先ず、音声信号は第一のＡ／Ｄコンバータ３でデジタルデータに変換されるが、サンプリング毎に量子化ビット数のデータが現れる。例えばサンプリング周波数をｆｓＨｚとし、量子化ビット数をＲビットとすると、１秒間でｆｓ＊Ｒビットのデータが発生し、ｔ秒間分のデータはｆｓ＊Ｒ＊ｔとなり、その分のメモリ容量を必要とする。
【００６５】
そのサンプリング毎に現れたデータ単位を、メモリ１２のアドレスナンバー“０”に入力していく。このメモリ１２には、シャッタボタン６のオンに関係なく常に新しい信号を入力し、ｔ秒分の音声情報が蓄えられている。メモリ１２の容量を超えた情報は新しい信号によって押し出されて消えるようにメモリ１２を制御しておく。つまり、瞬間的に、このメモリ１２は現在時刻から容量の時間分ｔ秒前の時刻から現在時刻までの信号を蓄えていることになる。図４では、メモリ１２のアドレスが“０”から始まり、最終アドレスが“ｍ＋２”であり、つまり、
ｍ＋２＋１＝ｆｓ＊ｔ
である。
【００６６】
例えば、使用者が設定キー１１のマイナスボタンでシャッタ位置を最右端に設定した場合を説明する。これは、使用者がシャッタ時刻ｔ０から記録時間ｔ秒だけさかのぼった時刻ｔ０−ｔから時刻ｔ０までの音声記録を希望することになる。これを実現するためにマイクロコンピュータ１０からメモリ１２に対して、読み出しアドレスを入力時刻からｔ秒経過した部分、つまりメモリアドレスの“ｍ＋２”から読み出してやり、記録／再生部７に送ると、映像信号に対してｔ秒さかのぼった時刻からの音声信号が記録されることになる。
【００６７】
もし、使用者がシャッタ時刻の前ｔ１秒からの音声を記録したい場合は、設定キー１１でシャッタ位置を図２のａの位置、即ち、
ａ＝ｔ０−ｔ１
の位置に設定する。この時刻ｔ１のデータは、
ｎ＝ｆｓ＊ｔ１
とすると、マイクロコンピュータ１０はメモリアドレスの“ｎ”からデータを読み出すことにより、映像信号に対してｔ１秒さかのぼった時刻からの音声信号が記録され、シャッタ時刻以降ｔ−ｔ１秒記録できる。
【００６８】
これから判るように、使用者が設定するための表示は、図４のようにアドレスを配置したメモリ１２の読み出しアドレスを指定しているのに対応していることになる。
【００６９】
次に、設定キー１１のプラスボタンで最左端に設定した例を説明する。これは、シャッタ時刻ｔ０からの音声信号を記録する設定になるので、マイクロコンピュータ１０はメモリ１２の情報を入力時刻と同時に読み出し、つまりメモリアドレス“０”から読み出して、記録中に入力された音声信号がそのまま記録されることになる。それによって、時刻ｔ０から時刻ｔ０＋ｔまでの音声記録となる。
【００７０】
以上説明したように、本発明の第１の実施の形態に係る記録再生装置によれば、音声信号を入力するマイクロフォン１と、映像信号を入力するカメラ４と、音声信号を記憶するメモリ１２と、メモリ１２の音声信号を所望時刻から読み出すことを指示する設定キー１１と、設定キー１２の設定状態を示す表示部１３と、カメラ４４から入力された映像信号を記録媒体に記録すると共に、シャッタ時刻より所定時間さかのぼった時刻からの音声信号、或いはシャッタ時刻からの音声信号を記憶媒体に記録する記録／再生部７と、記録時にメモリ１２に記憶した音声信号を任意の時刻から読み出す制御を行うマイクロコンピュータ１０とを有するため、下記のような作用及び効果を奏する。
【００７１】
上記構成において、記録再生装置の動作時には、マイクロフォン１から音声信号が入力されると共にメモリ１２に記憶され、カメラ４から映像信号が入力される。使用者が設定キー１１により、メモリ１２に記憶されている音声信号を所望時刻から読み出すことを設定すると、表示部１３には設定キー１１の設定状態が表示され、マイクロコンピュータ１０は、記録時にメモリ１２に記憶した音声信号を任意の時刻から読み出す。記録／再生部７は、シャッタ時刻より所定時間さかのぼった時刻からの音声信号、或いはシャッタ時刻からの音声信号を記憶媒体に記録する。即ち、メモリ１２によって、記録する音声信号と映像信号とに時間差を発生させる。また、メモリ１２は、シャッタのタイミング以前の音声信号を保持し、記録する映像信号の前後の音声信号を記録することが可能となる。また、使用者が希望する時刻の設定が容易になる。
【００７２】
従って、本発明の第１の実施の形態においては、使用者はシャッタ時刻に対して、最大で記録時間分だけさかのぼった時刻からの過去の音声情報を記録することや、シャッタ時刻前後の音声情報の記録が可能となる効果がある。そのことは、シャッタ時刻前の撮影の様子を音声情報で得ることによって、記録された映像がどういう状況の結果撮影されたかを知ることが可能となり、その映像の楽しみ方の拡大につながるという効果がある。また、記録する音声の時刻を分かり易い表示で認識させることが可能となり、設定方法も簡単なものを提供できるという効果がある。
【００７３】
［２］第２の実施の形態
本発明の第２の実施の形態に係る記録再生装置は、上記第１の実施の形態と同様に、マイクロフォン１、マイクアンプ２、第一のＡ／Ｄコンバータ３、カメラ４、第二のＡ／Ｄコンバータ５、シャッタボタン６、記録／再生部７、出力端子８、出力端子９、マイクロコンピュータ１０、設定キー１１、メモリ１２、表示部１３を備える構成となっている（上記図１参照）。本発明の第２の実施の形態に係る記録再生装置は、上記第１の実施の形態と同様に、静止画及び動画の両方の記録モードを有する。各部の構成については上記第１の実施の形態で詳述したので説明を省略するものとする。
【００７４】
図３は本発明の第２の実施の形態に係る記録再生装置において、記録する音声の時刻を表示する表示部１３を、撮影画のモニタに用いるビューファインダに表示した例を示す説明図である。図示例では、表示部１３はビューファインダ内の下方部分に表示されている。
【００７５】
また、使用者が音声の記録範囲を設定する際に用いる設定キー１１についても、専用の＋キー、−キーを用いず、この種の装置に既に装備されているズームキーやレコードプレビューキーや日付等を設定するキー、メニュー操作等の設定キー等と兼用して使用することができる。
【００７６】
以上説明したように、本発明の第２の実施の形態に係る記録再生装置によれば、音声信号を入力するマイクロフォン１と、映像信号を入力するカメラ４と、音声信号を記憶するメモリ１２と、メモリ１２の音声信号を所望時刻から読み出すことを指示する設定キー１１と、設定キー１２の設定状態を示す表示部１３と、カメラ４４から入力された映像信号を記録媒体に記録すると共に、シャッタ時刻より所定時間さかのぼった時刻からの音声信号、或いはシャッタ時刻からの音声信号を記憶媒体に記録する記録／再生部７と、記録時にメモリ１２に記憶した音声信号を任意の時刻から読み出す制御を行うマイクロコンピュータ１０とを有し、表示部１３として記録対象映像確認用のビューファインダや記録対象映像確認用及び再生時におけるモニタ用のモニタパネルを使用し、設定キー１１をズームキー、レコードプレビューキー、日付等を設定するキー、メニュー操作等の設定キー等と兼用する構成としているため、下記のような作用及び効果を奏する。
【００７７】
上記構成において、記録再生装置の動作時には、マイクロフォン１から音声信号が入力されると共にメモリ１２に記憶され、カメラ４から映像信号が入力される。使用者が設定キー１１により、メモリ１２に記憶されている音声信号を所望時刻から読み出すことを設定すると、表示部１３には設定キー１１の設定状態が表示され、マイクロコンピュータ１０は、記録時にメモリ１２に記憶した音声信号を任意の時刻から読み出す。記録／再生部７は、シャッタ時刻より所定時間さかのぼった時刻からの音声信号、或いはシャッタ時刻からの音声信号を記憶媒体に記録する。即ち、メモリ１２によって、記録する音声信号と映像信号とに時間差を発生させる。また、メモリ１２は、シャッタのタイミング以前の音声信号を保持し、記録する映像信号の前後の音声信号を記録することが可能となる。また、使用者が希望する時刻の設定が容易になる。
【００７８】
更に、表示部１３を既に記録再生装置に装備されている映像確認手段（ビューファインダ、モニタパネル）で兼用することや、設定キー１１も既に記録再生装置に装備されているズームキー等のキーを用いることで、コストアップを抑えながら表示部１３や設定キー１１の機能を実現できる。
【００７９】
従って、本発明の第２の実施の形態においては、上記第１の実施の形態と同様に、使用者はシャッタ時刻に対して、最大で記録時間分だけさかのぼった時刻からの過去の音声情報を記録することや、シャッタ時刻前後の音声情報の記録が可能となるなどの上記各種の効果が得られる他に、第２の実施の形態に特有の効果として、記録する音声の時刻を表示する表示部１３として本来撮影のための画像確認用として装備されているビューファインダやモニタパネルを利用し、設定キー１１もズームキー等のキーを使用することで、大幅なコストアップを伴うこともないという効果がある。
【００８０】
［３］第３の実施の形態
図５は本発明の第３の実施の形態に係る記録再生装置の構成を示すブロック図である。本発明の第３の実施の形態に係る記録再生装置は、マイクロフォン１、マイクアンプ２、第一のＡ／Ｄコンバータ３、カメラ４、第二のＡ／Ｄコンバータ５、シャッタボタン６、記録／再生部７、出力端子８、出力端子９、マイクロコンピュータ１０、設定キー１１、メモリ１２、表示部１３、警告部５１を備える構成となっている。本発明の第３の実施の形態に係る記録再生装置は、上記第１の実施の形態と同様に、静止画及び動画の両方の記録モードを有する。
【００８１】
本発明の第３の実施の形態が上記第１の実施の形態と相違する点は、下記の図６及び図７のフローチャートで詳述する如く、設定キー１１で設定した設定値がメモリ１２の書き込み量を超えた設定の場合に警告を出力する警告部５１を上記図１の構成に追加した点である。警告部５１による警告の具体例としては、音声による警告、或いは表示による警告など種々の形態が考えられるが、特に限定するものではない。図５において警告部５１以外の構成は上記第１の実施の形態と同様であり、上記図１と共通する構成には同一符号を付し説明を省略するものとする。
【００８２】
上記第１の実施の形態で説明した如く、メモリ１２はｔ秒間の容量を持っているが、当然のことながら記録再生装置に電源が入ると、マイクロコンピュータ１０やメモリ１２がリセットされるように動作し、メモリ１２がリセットされると内容が空になる。もし、使用者がリセット直後にシャッタ時刻以前の時刻から音声を収録しようとしても、メモリ１２には過去のデータが無いため、音声収録は不可能である。つまり、設定する表示と動作が一致しなくなる可能性がある。
【００８３】
本発明の第３の実施の形態では、上述した設定する表示と動作が一致しなくなることを防止するために、図６及び図７のフローチャートに示すような処理を行う。設定する表示と動作が一致しなくなる矛盾を防止する処理としては、次のような二つの方法をとる。一つは、設定した状態の記録が可能になるまでシャッタ操作を禁止することを優先する方法である。もう一つは、メモリ１２の書き込まれた量までの設定に強制的に変更し、シャッタ操作を優先する方法である。
【００８４】
図６及び図７において、先ず、記録再生装置の電源が入りリセットが完了すると、ステップＳ１で、使用者が設定したシャッタ位置がメモリ１２のどのアドレスから読み出せばよいかの変換計算を行い、ステップＳ２で、そのアドレスとリセット時刻から蓄えられたデータの最終アドレスとの比較を行う。上記ステップＳ２で最終アドレスの方が大きい場合は、設定した記録が可能になるので、ステップＳ３で、シャッタ操作を待機し、シャッタボタン６が押下されると、ステップＳ７で、シャッタボタン６のオンを有効にする。
【００８５】
他方、上記ステップＳ２で最終アドレスの方が小さい場合は、ステップＳ４で、警告部５１から警告を出し、設定の記録ができない旨を使用者に報知する。ステップＳ５で、使用者が警告に従った場合は、最終アドレスがシャッタ位置と同じか大きくなった時点まで、シャッタ操作を待機し、警告部５１による警告が消えた時点で設定の撮影が可能になる。もし、ステップＳ５で、使用者が警告中にもシャッタボタン６を押下した場合は、取り込まれる音声は、ステップＳ６で、設定値をその時点の最終アドレスに強制的に変更し、上記ステップＳ７のシャッタ操作を有効にする。これは、使用者が画像を優先して撮影しようとした場合に、撮影を可能にするための処理である。
【００８６】
以上説明したように、本発明の第３の実施の形態に係る記録再生装置によれば、音声信号を入力するマイクロフォン１と、映像信号を入力するカメラ４と、音声信号を記憶するメモリ１２と、メモリ１２の音声信号を所望時刻から読み出すことを指示する設定キー１１と、設定キー１２の設定状態を示す表示部１３と、カメラ４４から入力された映像信号を記録媒体に記録すると共に、シャッタ時刻より所定時間さかのぼった時刻からの音声信号、或いはシャッタ時刻からの音声信号を記憶媒体に記録する記録／再生部７と、記録時にメモリ１２に記憶した音声信号を任意の時刻から読み出す制御を行うマイクロコンピュータ１０と、警告を出力する警告部５１とを有し、マイクロコンピュータ１０は、設定キー１１の設定値がメモリ１２の書き込み量を超えた設定の場合に警告部５１から警告を出力させ、設定キー１１の設定値がメモリ１２の書き込み量を超えた設定の場合に設定値を強制的にメモリ１２の書き込み量に変更する制御を行うため、下記のような作用及び効果を奏する。
【００８７】
上記構成において、記録再生装置の動作時には、マイクロフォン１から音声信号が入力されると共にメモリ１２に記憶され、カメラ４から映像信号が入力される。使用者が設定キー１１により、メモリ１２に記憶されている音声信号を所望時刻から読み出すことを設定すると、表示部１３には設定キー１１の設定状態が表示され、マイクロコンピュータ１０は、記録時にメモリ１２に記憶した音声信号を任意の時刻から読み出す。記録／再生部７は、シャッタ時刻より所定時間さかのぼった時刻からの音声信号、或いはシャッタ時刻からの音声信号を記憶媒体に記録する。即ち、メモリ１２によって、記録する音声信号と映像信号とに時間差を発生させる。また、メモリ１２は、シャッタのタイミング以前の音声信号を保持し、記録する映像信号の前後の音声信号を記録することが可能となる。また、使用者が希望する時刻の設定が容易になる。
【００８８】
更に、使用者が設定した設定値がメモリ１２の記憶時間を超えている場合、その希望する動作を行うことができないことを警告し、設定を変更することを使用者に認識させることができる。また、使用者が設定した設定値がメモリ１２の記憶時間を超えている場合、設定時間を強制的にメモリ１２の記憶時間に変更し、映像信号の取り込みを優先し、いわゆるシャッタチャンスを逃さないようにすることが可能となる。
【００８９】
従って、本発明の第３の実施の形態においては、上記第１の実施の形態と同様に、使用者はシャッタ時刻に対して、最大で記録時間分だけさかのぼった時刻からの過去の音声情報を記録することや、シャッタ時刻前後の音声情報の記録が可能となるなどの上記各種の効果が得られる他に、第３の実施の形態に特有の効果として、使用者の設定とメモリ１２の状態から警告または禁止の動作を行い、実動作での誤動作を未然に防ぐことができるという効果がある。
【００９０】
上述した本発明の第１乃至第３の実施の形態は、デジタルスチルカメラ、デジタルビデオカメラ、パーソナルコンピュータ等に適用することが可能である。また、上述した本発明の第１乃至第３の実施の形態においては、静止画及び動画の両方の記録モードを有する場合を例に上げたが、静止画のみの記録モードを有する場合にも適用することが可能である。
【００９１】
尚、本発明は、複数の機器から構成されるシステムに適用しても、１つの機器からなる装置に適用してもよい。前述した実施形態の機能を実現するソフトウエアのプログラムコードを記憶した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００９２】
この場合、記憶媒体から読み出されたプログラムコード自体が前述した実施形態の機能を実現することになり、そのプログラムコードを記憶した記憶媒体は本発明を構成することになる。
【００９３】
プログラムコードを供給するための記憶媒体としては、例えば、フロッピディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００９４】
また、コンピュータが読出したプログラムコードを実行することにより、前述した実施形態の機能が実現されるだけでなく、そのプログラムコードの指示に基づき、コンピュータ上で稼働しているＯＳなどが実際の処理の一部または全部を行い、その処理によって前述した実施形態の機能が実現される場合も含まれることは言うまでもない。
【００９５】
更に、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００９６】
【発明の効果】
以上説明したように、本発明によれば、使用者は映像取り込み時刻（シャッタ時刻）に対して、最大で記録時間分だけさかのぼった時刻からの過去の音声情報を記録することや、シャッタ時刻前後の音声情報の記録が可能となる効果がある。そのことは、シャッタ時刻前の撮影の様子を音声情報で得ることによって、記録された映像がどういう状況の結果撮影されたかを知ることが可能となり、その映像の楽しみ方の拡大につながるという効果がある。さらに、音声情報（音声データ）が所定時間分蓄積されていない状態で撮影指示（第１の撮影指示）がされた場合であっても、使用者の選択により、（１）音声に対応付ける撮影画像の位置（音声の時間的位置）を使用者の指示（第２の撮影指示）により変更するか、（２）所定時間分の音声データが記録されるまで待ってから撮影をするかを決定することが可能となる効果がある。その結果、使用者が、シャッタチャンスを重視したときには、強制的に撮影をすることができ、逆に、音声と画像の対応付けを重視したときには、所定時間分の音声データが蓄積する前に画像が撮影されてしまわないようにすることができ、これにより、たとえ、音声データが所定時間分蓄積されていなかったとしても、使用者が状況に応じて撮影方法を選択できるため、使用者の意図するような適切な音声付きの画像情報を得ることができるという効果がある。
【図面の簡単な説明】
【図１】本発明の第１及び第２の実施の形態に係る記録再生装置の構成を示すブロック図である。
【図２】本発明の第１乃至第３の実施の形態に係る記録再生装置の表示部及び設定キーの例を示す説明図であり、（ａ）は表示部の例を示す説明図、（ｂ）は設定キーの例を示す説明図である。
【図３】本発明の第２の実施の形態に係る記録再生装置の表示部を撮影画モニタ用のビューファインダに表示した例を示す説明図である。
【図４】本発明の第１乃至第３の実施の形態に係る記録再生装置のメモリの構成を示す説明図である。
【図５】本発明の第３の実施の形態に係る記録再生装置の構成を示すブロック図である。
【図６】本発明の第３の実施の形態に係る記録再生装置における処理を示すフローチャートである。
【図７】本発明の第３の実施の形態に係る記録再生装置における処理を示すフローチャートである。
【図８】従来例に係る記録再生装置の構成を示すブロック図である。
【符号の説明】
１  マイクロフォン
４  カメラ
６  シャッタボタン
７  記録／再生部
１０  マイクロコンピュータ
１１  設定キー
１２  メモリ
１３  表示部
５１  警告部
【図１】
0004218909.tif 000002
【図２】
0004218909.tif 000003
【図３】
0004218909.tif 000004
【図４】
0004218909.tif 000005
【図５】
0004218909.tif 000006
【図６】
0004218909.tif 000007
【図７】
0004218909.tif 000008
【図８】
0004218909.tif 000009